(57)【要約】【課題】山部と谷部とが交互に配列されており、山部から突出するボルトを備える金属屋根に穴を空けることなく三脚状の支柱を設置することが可能な支柱台座を提供する。【解決手段】支柱台座１は、山部９１と谷部９２とが交互に配列されており、山部９１から突出するボルト９３を備える金属屋根９に、三脚状の支柱８を取り付けるために用いられる。支柱台座１は、少なくとも１つ以上の山部９１を跨ぐことが可能に構成されており、跨がれた山部９１が備えるボルト９３を挿通するための１つ以上の挿通孔２０と、支柱８が備える１本の脚体８０の下端部を締結可能な第一締結部材２１とを備えるベース部２と、金属屋根９の働き巾方向に沿ってベース部２に固定可能に構成されており、支柱８が備える残りの各脚体８０の下端部をそれぞれ締結可能な一対の第二締結部材３２を両端部に備えるアーム部３とを有している。【選択図】図１
2018003248.tif 000002
【特許請求の範囲】
【請求項１】
山部と谷部とが交互に配列されており、上記山部から突出するボルトを備える金属屋根に、三本の脚体を備える三脚状の支柱を取り付けるために用いられる支柱台座であって、
少なくとも１つ以上の上記山部を跨ぐことが可能に構成されており、跨がれた上記山部が備える上記ボルトを挿通するための１つ以上の挿通孔と、上記支柱が備える１本の上記脚体の下端部を締結可能な第一締結部材とを備えるベース部と、
上記金属屋根の働き巾方向に沿って上記ベース部に固定可能に構成されており、上記支柱が備える残りの各脚体の下端部をそれぞれ締結可能な一対の第二締結部材を両端部に備えるアーム部と、
を有する、支柱台座。
【請求項２】
上記アーム部は、さらに、上記ベース部の長手方向に沿って上記ベース部に固定可能に構成されている、請求項１に記載の支柱台座。
【請求項３】
上記ベース部は、上記挿通孔および上記第一締結部材を備える平板部と、上記平板部の両側縁からそれぞれ延びており、上記山部の第一の側面を覆う第一側面部および上記山部の第二の側面を覆う第二側面部とを有している、請求項１または２に記載の支柱台座。
【請求項４】
上記ベース部における上記金属屋根側の面に、上記ベース部の高さを調節するための嵩上げ部材が設けられている、請求項１〜３のいずれか１項に記載の支柱台座。
【請求項５】
上記金属屋根の働き巾方向に沿って上記ベース部に上記アーム部が固定された際に、上記アーム部を挟んだ両側の上記ベース部の部分に、それぞれ、上記挿通孔が存在している、請求項１〜４のいずれか１項に記載の支柱台座。
【請求項６】
上記アーム部は、上記ベース部に固定される固定板部と、上記固定板部の少なくとも一方の側縁に設けられた補強リブとを有している、請求項１〜５のいずれか１項に記載の支柱台座。
【請求項７】
上記支柱は、
同一形状かつ同一寸法の三本の上記脚体と、
上記各脚体の上端部同士を連結する連結部材とを有しており、
上記連結部材を緩めることにより、上記連結部材を軸として上記各脚体が相対回転可能になるとともに、上記連結部材を締めることにより、上記各脚体が回転不能になる、請求項１〜６のいずれか１項に記載の支柱台座。
【請求項８】
上記金属屋根は、上記山部から上記ボルトとしてタイトフレームボルトが突出するボルト式の折板屋根である、請求項１〜７のいずれか１項に記載の支柱台座。
【発明の詳細な説明】
【技術分野】
【０００１】
本発明は、支柱台座に関する。
【背景技術】
【０００２】
従来、山部と谷部とが交互に配列されてなる折板屋根等の金属屋根が知られている。この種の金属屋根としては、例えば、金属板の接合部を折り曲げ、かみ合わせたハゼと呼ばれる部位を有するハゼ式の折板屋根や、山部からタイトフレームボルトが突出するボルト式の折板屋根などがある。これら金属屋根の屋根面において各種作業を実施する際に、墜落防止や落下養生などのため、軒先近傍位置やケラバ近傍位置にて支柱を用いた安全対策が行われることがある。
【０００３】
例えば、特許文献１には、ハゼ式折板屋根の屋根面に、一対の三脚状の支柱を間隔を置いて配置し、各支柱が備える三本の脚体の下端部をそれぞれ固定金具を介してハゼ部に取り付け、支柱の上端部間に親綱を架設する技術が開示されている。また、特許文献２には、脚体の下端部とハゼ部に取り付ける固定金具との間に、衝撃吸収部材を介在させる技術が開示されている。
【先行技術文献】
【特許文献】
【０００４】
【特許文献１】特開２０１４−１９８９８９号公報
【特許文献２】特開２０１５−１５１７１０号公報
【発明の概要】
【発明が解決しようとする課題】
【０００５】
上述した従来技術は、ハゼ式の折板屋根に対して支柱を設置する際に、ハゼ部に固定金具を介して支柱を設置するため、折板屋根に支柱設置用の穴を開けずに済む。しかしながら、既存の折板屋根としては、ハゼ式ばかりでなくボルト式のものもある。ボルト式の折板屋根は、ハゼ部がないので固定金具を取り付けることが困難である。そのため、ボルト式の折板屋根に穴を空け、ボルトおよびナットで支柱の脚体の下端部を屋根面に固定する必要がある。その結果、形成した穴を通じて漏水が生じるおそれがある。また、ボルト式の折板屋根に穴を空けずに作業を行うには、外部足場を設置しなければならず、作業期間が長くなり、作業費用もかかる。
【０００６】
本発明は、上記背景に鑑みてなされたものであり、山部と谷部とが交互に配列されており、山部から突出するボルトを備える金属屋根に穴を空けることなく三脚状の支柱を設置することが可能な支柱台座を提供しようとするものである。
【課題を解決するための手段】
【０００７】
本発明の一態様は、山部と谷部とが交互に配列されており、上記山部から突出するボルトを備える金属屋根に、三本の脚体を備える三脚状の支柱を取り付けるために用いられる支柱台座であって、
少なくとも１つ以上の上記山部を跨ぐことが可能に構成されており、跨がれた上記山部が備える上記ボルトを挿通するための１つ以上の挿通孔と、上記支柱が備える１本の上記脚体の下端部を締結可能な第一締結部材とを備えるベース部と、
上記金属屋根の働き巾方向に沿って上記ベース部に固定可能に構成されており、上記支柱が備える残りの各脚体の下端部をそれぞれ締結可能な一対の第二締結部材を両端部に備えるアーム部と、
を有する、支柱台座にある。
【発明の効果】
【０００８】
上記支柱台座を用い、例えば、次のようにして、山部から突出するボルトを備える金属屋根に三脚状の支柱を設置することができる。先ず、金属屋根の働き巾方向に沿ってベース部にアーム部を固定する。次いで、少なくとも１つ以上の山部を跨ぐようにベース部を配置し、跨がれた山部が備えるボルトを挿通孔に挿通し、ナットで固定する。次いで、支柱が備える１本の脚体の下端部を第一締結部材によりベース部に固定するとともに、支柱が備える残りの各脚体の下端部を一対の第二締結部材によりアーム部にそれぞれ固定する。
【０００９】
上記支柱台座によれば、山部から突出するボルトを備える金属屋根のボルトを利用し、穴を空けることなく三脚状の支柱を設置することが可能となる。上記支柱台座によれば、金属屋根に穴を空けないで済むため、漏水が生じることも極めて少ない。上記支柱台座によれば、外部足場を設置することなく支柱を設置して安全設備を構成することができ、また、支柱の撤去も簡単であるので、作業期間が短縮され、作業費用の抑制も図ることができる。上記支柱台座は、ベース部を変えることにより、ボルト式の折板屋根や、金具にて山部に突出するボルトを取り付けた瓦棒屋根等、種々の金属屋根に対応させることができる。また、上記支柱台座によれば、支柱に衝撃荷重が負荷された際に、支柱の脚体が金属屋根に直接固定されている場合に比べ、衝撃荷重による力を分散させやすい。そのため、上記支柱台座によれば、衝撃荷重による金属屋根の損傷も抑制しやすい。
【図面の簡単な説明】
【００１０】
【図１】実施例１の支柱台座の平面図である。
【図２】図１に示されるＡ矢視方向から見た実施例１の支柱台座である。
【図３】図１に示されるＢ矢視方向から見た実施例１の支柱台座である。
【図４】図１に示されるＣ矢視方向から見た、一部が断面で示された実施例１の支柱台座である。
【図５】実施例１の支柱台座が折り畳まれた状態を示す説明図である。
【図６】実施例１の支柱台座に用いられる支柱の閉脚状態を示す説明図である。
【発明を実施するための形態】
【００１１】
上記支柱台座が適用される金属屋根は、山部から突出するボルトを備えている。山部から突出するボルトは、金属屋根を葺いた際に使用されたボルトであってもよいし、金属屋根の山部に後付けで金具を介して取り付けられたボルトなどであってもよい。金属屋根としては、例えば、山部から上記ボルトとしてタイトフレームボルトが突出するボルト式の折板屋根、山部に金具を用いて突出するボルトを取り付けた瓦棒屋根などを例示することができる。
【００１２】
上記支柱台座において、アーム部は、さらに、ベース部の長手方向に沿ってベース部に固定可能に構成されているとよい。
【００１３】
この構成によれば、金属屋根の働き巾方向（ベース部の短手方向）以外にも、ベース部の長手方向に沿って、ベース部にアーム部を固定することができる。そのため、支柱を設置していない状態では、ベース部の長手方向に沿ってベース部にアーム部を固定することにより、ベース部からアーム部の両端部が大きく張り出すことなく支柱台座を運搬することが可能となる。そのため、コンパクトな状態で運搬可能な支柱台座が得られる。一方、支柱を設置する際には、金属屋根の働き巾方向に沿ってベース部にアーム部を固定することにより、三脚状の支柱を設置することが可能となる。したがって、上記の構成によれば、運搬性、支柱の設置性に優れた支柱台座が得られる。
【００１４】
上記支柱台座において、ベース部は、具体的には、挿通孔および第一締結部材を備える平板部と、平板部の両側縁からそれぞれ延びており、山部の第一の側面を覆う第一側面部および山部の第二の側面を覆う第二側面部とを有している構成とすることができる。
【００１５】
この構成によれば、ベース部によって跨がれた１つ以上の山部のうち、金属屋根の働き巾方向の一方端側にある山部の第一の側面を覆うように、第一側面部が配置される。また、ベース部によって跨がれた１つ以上の山部のうち、金属屋根の働き巾方向の他方端側にある山部の第二の側面を覆うように、第二側面部が配置される。そのため、第一側面部と第二側面部とにより金属屋根の働き巾方向の位置ズレが抑制しやすくなり、山部から突出するボルトを挿通孔に挿通しやすい支柱台座が得られる。また、支柱を設置した後、支柱台座のガタツキを抑制しやすい支柱台座が得られる。また、支柱台座の安定性も向上させることができる。
【００１６】
上記支柱台座は、ベース部における金属屋根側の面に、ベース部の高さを調節するための嵩上げ部材が設けられている構成とすることができる。
【００１７】
この構成によれば、ボルトに螺合されたナット分の高さを調節することが可能となる。そのため、金属屋根の屋根面に対して平行にベース部を配置しやすい支柱台座が得られる。
【００１８】
上記支柱台座は、金属屋根の働き巾方向に沿ってベース部にアーム部が固定された際に、アーム部を挟んだ両側のベース部の部分に、それぞれ、挿通孔が存在している構成とすることができる。
【００１９】
この構成によれば、例えば、軒先近傍位置に支柱を設置する場合に、金属屋根の働き巾方向に沿って固定されたアーム部から見て軒先側のベース部の部分にある挿通孔に、軒先側のボルトを挿通し、ベース部を固定することができる。また、例えば、ケラバ近傍位置に支柱を設定する場合に、金属屋根の働き巾方向に沿って固定されたアーム部から見て軒先側と反対側のベース部の部分にある挿通孔に、ケラバ側のボルトを挿通し、ベース部を固定することができる。したがって、この構成によれば、軒先近傍位置に支柱を設置する場合とケラバ近傍位置に支柱を設置する場合で、ボルトの挿通箇所を選択することが可能となり、金属屋根への支柱台座の取付自由度が向上する。また、この構成によれば、とりわけ、ケラバ近傍位置に支柱を設置する場合に、支柱台座がより安定するボルト挿通箇所を選択しやすくなるので、支柱台座の取り付け安定性向上にも寄与できる。
【００２０】
上記支柱台座において、アーム部は、ベース部に固定される固定板部と、固定板部の少なくとも一方の側縁に設けられた補強リブとを有する構成とすることができる。
【００２１】
この構成によれば、補強リブによりアーム部の剛性が向上する。そのため、支柱の脚体からアーム部に荷重が伝わった場合でも、脚体の支持を確実なものとすることができる。
【００２２】
上記支柱台座において、支柱は、具体的には、同一形状かつ同一寸法の三本の脚体と、各脚体の上端部同士を連結する連結部材とを有しており、連結部材を緩めることにより、連結部材を軸として各脚体が相対回転可能になるとともに、連結部材を締めることにより、各脚体が回転不能になる構成とすることができる。
【００２３】
この構成によれば、連結部材を締めることにより、各脚体の下端部同士を離間させた状態で、複数の脚体を回転不能に連結することができる。そのため、支柱を、各脚体が三脚状に開いた開脚状態にすることができる。また、連結部材を緩めることにより、同一形状かつ同一寸法の各脚体を相対回転させ、各脚体同士を互いに重ね合わせることができる。そのため、支柱を、各脚体が閉じた閉脚状態に折り畳むことができる。それ故、この構成によれば、比較的短い時間で、閉脚状態から開脚状態となるように支柱を組み立て、支柱台座を介して支柱を金属屋根上に設置することが可能になる。また、この構成によれば、比較的短い時間で、開脚状態から閉脚状態となるように支柱を折り畳み、支柱台座とともに金属屋根から撤去することが可能となる。
【００２４】
なお、上述した各構成は、上述した各作用効果等を得るなどのために必要に応じて任意に組み合わせることができる。
【実施例】
【００２５】
以下、実施例の支柱台座について、図面を用いて説明する。なお、同一部材については同一の符号を用いて説明する。
【００２６】
（実施例１）
実施例１の支柱台座について、図１〜図６を用いて説明する。図１〜図６に示されるように、本例の支柱台座１は、山部９１と谷部９２とが交互に配列されており、山部９１から突出するボルト９３を備える金属屋根９に、三本の脚体８０を備える三脚状の支柱８を取り付けるために用いられるものである。なお、図１および図４では、金属屋根９が省略されている。また、本例では、金属屋根９は、山部９１からボルト９３としてタイトフレームボルトが突出するボルト式の折板屋根が示されている。
【００２７】
支柱台座１は、ベース部２と、アーム部３とを有している。なお、本例では、支柱台座１の材質は、アルミニウム合金である。
【００２８】
ベース部２は、少なくとも１つ以上の山部９１を跨ぐことが可能に構成されている。ベース部２は、跨がれた山部９１が備えるボルト９３を挿通するための１つ以上の挿通孔２０と、支柱８が備える１本の脚体８０の下端部を締結可能な第一締結部材２１とを備えている。ここでは、第一締結部材２１は、ボルトおよびナットより構成されている。
【００２９】
本例では、具体的には、ベース部２は、２つの山部９１を跨ぐことが可能に構成されている。また、ベース部２は、平板部２２と、平板部２２の両側縁からそれぞれ延びた第一側面部２２１および第二側面部２２２とを有している。第一側面部２２１は、金属屋根９の働き巾方向の一方端側にある山部９１の第一の側面９１１を覆うように形成されている。第二側面部２２２は、金属屋根９の働き巾方向の他方端側にある山部９１の第二の側面９１２を覆うように形成されている。そして、平板部２２が、挿通孔２０と第一締結部材２１とを備えている。
【００３０】
アーム部３は、支柱８が備える残りの各脚体８０の下端部をそれぞれ締結可能な一対の第二締結部材３２を両端部に備えている。ここでは、第二締結部材３２は、ボルトおよびナットより構成されている。
【００３１】
アーム部３は、金属屋根９の働き巾方向に沿ってベース部２に固定可能に構成されている。本例では、具体的には、金属屋根９の働き巾方向に沿ってアーム部３が配置された際に、ベース部２の平板部２２と重なるアーム部３の領域に複数のアーム部側取付用孔３３が形成されている。ベース部２の平板部２２には、アーム部側取付用孔３３に対応してベース部側取付用孔２３が複数形成されている。なお、本例では、アーム部側取付用孔３３、ベース部側取付用孔２３が、いずれも２個ずつ形成されている。したがって、本例では、金属屋根９の働き巾方向に沿ってアーム部３を配置し、アーム部側取付用孔３３とベース部側取付用孔２３とをそれぞれ一致させ、形成された各取付用孔にそれぞれボルトを挿通してナットで固定することにより、金属屋根９の働き巾方向に沿ってベース部２にアーム部３を固定できるようになっている。
【００３２】
本例では、金属屋根９の働き巾方向（ベース部２の短手方向）に沿ってベース部２にアーム部３が固定された際に、アーム部３を挟んだ両側のベース部２の部分に、それぞれ、挿通孔２０が存在している。ここでは、金属屋根９の働き巾方向に沿って固定されたアーム部３から見て軒先側のベース部２の部分に、１つ以上（本例では２個）の挿通孔２０が存在している。具体的には、アーム部３から見て軒先側のベース部２の部分に、２個の挿通孔２０が働き巾方向に沿って配置されている。これらの挿通孔２０は、主に、軒先近傍位置に支柱を設置する際に用いられる。一方、金属屋根９の働き巾方向に沿って固定されたアーム部３から見て軒先側と反対側のベース部２の部分に、１つ以上の挿通孔２０（本例では２個）が存在している。具体的には、アーム部３から見て軒先側と反対側のベース部２の部分に、２個の挿通孔２０が、ベース部２の長手方向の略中央部、かつ、働き巾方向に沿って配置されている。これらの挿通孔２０は、主に、ケラバ近傍位置に支柱を設置する際に用いられる。なお、挿通孔２０は、既設タイトフレームボルト等のボルト９３の位置ズレをある程度許容できるように、いずれも働き巾方向に長い長穴とされている。
【００３３】
本例では、アーム部３は、さらに、ベース部２の長手方向に沿ってベース部２に固定可能に構成されている。具体的には、ベース部２の長手方向に沿ってアーム部３を配置し、アーム部側取付用孔３３とベース部側取付用孔２３とを一致させ、形成された取付用孔にボルトを挿通してナットで固定することにより、ベース部２の長手方向に沿ってベース部２にアーム部３を固定できるようになっている。したがって、ナットを緩めれば、取付用孔に挿通されたボルトを軸にしてアーム部３を回動させることができる。なお、ベース部２の長手方向に沿ってベース部２にアーム部３が固定された状態において、アーム部３の固定に使用されていない残りのベース部側取付用孔２３には、予めボルトが挿通され、ナットが取り付けられている。
【００３４】
本例では、アーム部３は、具体的には、ベース部２に固定される固定板部３５と、固定板部３５の少なくとも一方の側縁に設けられた補強リブ３６とを有している。本例の各図では、固定板部３５の両側縁にそれぞれ補強リブ３６が設けられている例が示されている。なお、上述したアーム部側取付用孔３３は、固定板部３５に形成されている。
【００３５】
支柱台座１は、ベース部２における金属屋根９側の面に、ベース部２の高さを調節するための嵩上げ部材４が設けられている。本例では、嵩上げ部材４は、具体的には、タイトフレームボルト等のボルト９３に螺合されたナットの高さと同等の厚みを有する棒状部材より構成されており、ボルトおよびナットによってベース部２に取り付けられている。本例の各図では、支柱台座１が嵩上げ部材４を２つ有する例が示されている。各嵩上げ部材４は、具体的には、ベース部２の金属屋根９側の面における軒先側端縁および軒先側と反対側側端縁にそれぞれ取り付けられている。
【００３６】
本例において、支柱８は、三本の脚体８０と、連結部材８１とを有している。各脚体８０は、いずれも同一形状かつ同一寸法とされている。連結部材８１は、各脚体８０の上端部同士を連結している。
【００３７】
本例では、脚体８０は、脚本体部８０１と、脚本体部８０１の上端部に設けられ、上部連結孔８０２ａを備える上部連結片８０２と、脚本体部８０１の下端部に設けられ、下部連結孔８０３ａを備える下部連結片８０３とを有している。脚体８０は、具体的には、金属製の板材を素材として形成されたものである。板材としては、例えば、厚み１ｍｍ〜３ｍｍ程度の鋼板、厚み１ｍｍ〜３ｍｍ程度のアルミニウム合金板などを用いることができる。本例では、支柱の材質は、アルミニウム合金である。
【００３８】
なお、図６に示されるように、上部連結片８０２および下部連結片８０３は、それぞれ、脚本体部８０１に対して互いに逆方向に同一角度θ１で傾斜した状態とされている。傾斜角度θ１は金属屋根９面と上部連結片８０２および下部連結片８０３とが平行となるように適宜設定することができる。傾斜角度θ１は、例えば、１２０°程度とすることができる。また、脚本体部８０１の両側縁には、脚体８０の剛性を高めるため、脚補強リブ８０４を設けることができる。脚補強リブ８０４は、脚本体部８０１の両側縁がそれぞれ表面側に折り起こされることによって形成されている。なお、脚補強リブ８０４は、脚本体部８０１の両側縁がそれぞれ裏面側に折り起こされることによって形成されていてもよい。脚補強リブ８０４を折り起こす角度は、例えば、１２０°程度とすることができる。
【００３９】
各脚体８０の上部連結片８０２は、上部連結孔８０２ａの位置が合致するように互いに重ね合わされている。連結部材８１は、重ね合わされた各上部連通孔８０２ａを貫通するように挿通されている。
【００４０】
支柱８は、連結部材８１を緩めることにより、連結部材８１を軸として各脚体８０が相対回転可能に連結される。また、支柱８は、連結部材８１を締めることにより、各脚体８０が回転不能に連結される。なお、本例では、連結部材８１として、具体的には、ボルトおよびナットを用いることができる。なお、各図では、ボルトとして、アイボルトが例示されている。
【００４１】
次に、図５に示されるような折り畳み状態にある支柱台座１を用い、山部９１から突出するボルト９３を備える金属屋根９に三脚状の支柱８を設置する際の手順の一例を説明する。なお、ここでは、支柱台座１を軒先近傍位置に設置する場合について説明する。
【００４２】
折り畳み状態にある支柱台座１では、アーム部３は、ベース部２の長手方向に沿ってベース部２に固定されている。先ず、ベース部２のベース部側取付用孔２３に予め取り付けておいた、アーム部３の固定に使用されていないボルトおよびナットをはずす。
【００４３】
次に、ベース部２の長手方向に沿ってアーム部３を固定しているボルトに螺合されたナットを緩め、このボルトを支点にして、アーム部３を働き巾方向に沿うように９０度回転させる。そして、アーム部側取付用孔３３とベース部側取付用孔２３とを一致させ、形成された取付用孔に、上記にてはずしておいたボルトを挿通するとともに、ナットを螺合する。これにより、金属屋根９の働き巾方向に沿ってベース部２にアーム部３が固定される。
【００４４】
次に、少なくとも１つ以上（本例では２個）の山部を跨ぐようにベース部２を配置し、跨がれた山部９１が備える軒先側のボルト９３を挿通孔２０に挿通し、ナットで固定する。ここでは、具体的には、上記固定されたアーム部３から見て軒先側のベース部２の部分に形成された各挿通孔２０に、軒先側のボルト９３がそれぞれ挿通される。なお、既設のタイトフレームボルト等、ボルト９３のネジ山が腐食している場合には、ネジ切りダイス等を用いて、事前にネジ山を再生しておく。
【００４５】
次に、第一締結部材２１および第二締結部材３２を、支柱８の脚体８０が取り付け可能な状態にする。ここでは、第一締結部材２１および第二締結部材３２はいずれもボルトおよびナットより構成されているため、ともにナットがはずされる。
【００４６】
次に、三脚状に開脚させた支柱８の１本の脚体８０の下端部を第一締結部材２１のボルトに挿通するとともに、支柱８が備える残りの各脚体８０の下端部を一対の第二締結部材３２のボルトにそれぞれ挿通し、いずれもナットで固定する。これにより、支柱８の各脚体８０が、ベース部２およびアーム部３に固定される。なお、設置された支柱８および支柱台座１は、上記と反対の手順を経ることにより撤去することができる。
【００４７】
支柱台座１によれば、山部９１から突出するボルト９３を備える金属屋根９のボルト９３を利用し、穴を空けることなく三脚状の支柱８を設置することが可能となる。支柱台座１によれば、金属屋根９に穴を空けないで済むため、漏水が生じることも極めて少ない。支柱台座１によれば、外部足場を設置することなく支柱８を設置して安全設備を構成することができ、また、支柱８の撤去も簡単であるので、作業期間が短縮され、作業費用の抑制も図ることができる。支柱台座１は、ベース部２を変えることにより、ボルト式の折板屋根や、金具にて山部９１に突出するボルト９３を取り付けた瓦棒屋根等、種々の金属屋根９に対応させることができる。また、支柱台座１によれば、支柱８に衝撃荷重が負荷された際に、支柱８の脚体８０が金属屋根９に直接固定されている場合に比べ、衝撃荷重による力を分散させやすい。そのため、支柱台座１によれば、衝撃荷重による金属屋根９の損傷も抑制しやすい。
【００４８】
以上、本発明の実施例について詳細に説明したが、本発明は上記実施例に限定されるものではなく、本発明の趣旨を損なわない範囲内で種々の変更が可能である。
【符号の説明】
【００４９】
１  支柱台座
２  ベース部
２０  挿通孔
２１  第一締結部材
３  アーム部
３２  第二締結部材
８  支柱
８０  脚体
９  金属屋根
９１  山部
９２  谷部
９３  ボルト
【図１】
2018003248.tif 000003
【図２】
2018003248.tif 000004
【図３】
2018003248.tif 000005
【図４】
2018003248.tif 000006
【図５】
2018003248.tif 000007
【図６】
2018003248.tif 000008